(57)【要約】【課題】設置されている遊技機に応じて、設置板の下方の空間の態様を変化させることができる遊技島を提供すること。【解決手段】遊技島１は、回収通路１０５が不要な第１遊技機としての封入式パチンコ遊技機２やスロットマシン３と、回収通路１０５が必要な第２遊技機としての通常のパチンコ遊技機２Ａと、を含む複数種類の遊技機を設置可能であり、設置板１３ａに封入式パチンコ遊技機２やスロットマシン３が設置されるときの態様であって設置板１３ａの下方における左右の第１縦フレーム７４，７４間の少なくとも下部に空間部４００が形成される第１態様と、設置板１３ａに通常のパチンコ遊技機２Ａが設置されるときの態様であって腰板１２Ｆ，１２Ｂにより設置板１３ａの下方における左右の第１縦フレーム７４，７４間に空間部４００が形成されない第２態様と、のいずれかに変更可能である。【選択図】図９
2015047464.tif 000002
【特許請求の範囲】
【請求項１】
所定の間隔を隔てて立設される複数の支持体と、該複数の支持体間における該支持体の下端より上方の上方位置に架設される長板状の設置板と、前記設置板の下方に該設置板の長手方向に沿って配設される腰板とを備え、該設置板の長手方向に沿って遊技機が設置される遊技島であって、
前記設置板は、前記遊技機にて遊技を行う遊技者側から見て前記腰板の奥側に配設される該遊技機に関連する関連設備が不要な第１遊技機と、前記関連設備が必要な第２遊技機と、を含む複数種類の遊技機を設置可能であり、
前記第１遊技機に対応可能な態様であって前記腰板により前記設置板の下方における前記複数の支持体間の少なくとも下部に遊技者側空間が形成される第１態様と、前記第２遊技機に対応可能な態様であって前記設置板の下方における前記複数の支持体間に前記遊技者側空間が形成されない第２態様と、のいずれかに変更可能である
ことを特徴とする遊技島。
【発明の詳細な説明】
【技術分野】
【０００１】
本発明は、所定の間隔を隔てて立設される複数の支持体と、該複数の支持体間における該支持体の下端より上方の上方位置に架設される長板状の設置板と、前記設置板の下方に該設置板の長手方向に沿って配設される腰板とを備え、該設置板の長手方向に沿って遊技機が設置される遊技島に関する。
【背景技術】
【０００２】
従来の遊技島としては、複数台のパチンコ遊技機を設置可能であるとともに、各パチンコ遊技機から排出された遊技球を受け止めて回収する回収桶（関連設備）を遊技島の下部に備え、該下部を腰板によって被覆しているものがある（例えば、特許文献１参照）。
【０００３】
また、パチンコ遊技機を設置する膳板ユニットを備えるとともに、該膳板ユニットの下方において腰板を固定し、更に腰板の下端部と床面との間に遊技者の爪先を配置することが可能な爪先空間を形成しているものがある（例えば、特許文献２参照）。
【先行技術文献】
【特許文献】
【０００４】
【特許文献１】特開２００８−１４８９３９号公報
【特許文献２】特開２０１２−１２５４６８号公報
【発明の概要】
【発明が解決しようとする課題】
【０００５】
しかしながら、上記特許文献２に記載の遊技島のように、腰板と床面との間に爪先空間を形成した遊技島において、設置されている遊技機を、スロットマシン等の回収桶を要さない遊技機から回収桶を要するパチンコ遊技機等に取り替える場合は、遊技島内に設けられた回収桶が爪先空間から遊技者側から見えてしまい、遊技島の見映えが悪くなるばかりか、遊技者の脚が回収桶に接触して該回収桶が破損する虞があるという問題があった。
【０００６】
本発明は、このような問題点に着目してなされたもので、設置されている遊技機に応じて、設置板の下方の空間の態様を変化させることができる遊技島を提供することを目的とする。
【課題を解決するための手段】
【０００７】
前記課題を解決するために、本発明の請求項１に記載の遊技島は、
所定の間隔を隔てて立設される複数の支持体（例えば、支持体６６Ｌ，６６Ｒ）と、該複数の支持体間における該支持体の下端より上方の上方位置に架設される長板状の設置板（例えば、設置板１３ａ）と、前記設置板の下方に該設置板の長手方向に沿って配設される腰板（例えば、腰板１２Ｆ，１２Ｂ／腰板１１２Ｆ，１１２Ｂ／腰板２１２Ｆ，２１２Ｂ／腰板３１２Ｆ，３１２Ｂ／腰板４１２Ｆ，４１２Ｂ／第２腰板５６０）とを備え、該設置板の長手方向に沿って遊技機（例えば、封入式パチンコ遊技機２、通常のパチンコ遊技機２Ａ、スロットマシン３など）が設置される遊技島（例えば、遊技島１）であって、
前記設置板は、前記遊技機にて遊技を行う遊技者側から見て前記腰板の奥側に配設される該遊技機に関連する関連設備（例えば、回収通路１０５やメダル回収通路１０５０など）が不要な第１遊技機（例えば、封入式パチンコ遊技機２、スロットマシン３）と、前記関連設備が必要な第２遊技機（例えば、通常のパチンコ遊技機２Ａ）と、を含む複数種類の遊技機を設置可能であり、
前記第１遊技機に対応可能な態様であって前記腰板により前記設置板の下方における前記複数の支持体間の少なくとも下部に遊技者側空間（例えば、遊技者側空間４００）が形成される第１態様（例えば、図９、図１４の右側、図１５（Ｂ）、図１６（Ｂ）、図１７（Ｂ）、図１８（Ｂ）、図１９、図２０（Ａ）（Ｂ）の右側、図２１参照）と、前記第２遊技機に対応可能な態様であって前記設置板の下方における前記複数の支持体間に前記遊技者側空間が形成されない第２態様（例えば、図１０、図１１、図１３（Ａ）、図１４の左側、図１５（Ａ）、図１６（Ａ）、図１７（Ａ）、図２０（Ａ）（Ｂ）の左側参照）と、のいずれかに変更可能である
ことを特徴としている。
この特徴によれば、遊技島を第１態様とすることで、遊技者の脚が複数の支持体間に形成された遊技者側空間を介して設置板より奥側に挿入可能となり、遊技島を第２態様とすることで、遊技者の脚が設置板より奥側に入り込むことが防止されるため、遊技機に関連する関連設備が必要な遊技機が設置されたときと関連設備が不要な遊技機が設置されたときとで、設置板の下方の態様を設置された遊技機に適した態様に変更することができる。
【０００８】
本発明の手段１の遊技島は、請求項１に記載の遊技島であって、
前記設置板（例えば、設置板１３ａ）に設置される遊技機（例えば、封入式パチンコ遊技機２、通常のパチンコ遊技機２Ａ、スロットマシン３など）に応じて該設置板を第１上方位置（例えば、横フレーム７５，７５の上面、図１０参照）と該第１上方位置よりも上方の第２上方位置（例えば、設置枠１２０の上面、図９、図１１参照）とに変更可能であり、
前記腰板（例えば、腰板１２Ｆ，１２Ｂ）は、第１位置（例えば、貫通孔１２ｂ，１２ｃと第２螺着孔７５ａ，７５ｂとが合致する位置、図７（Ｂ）参照）と該第１位置よりも上方の第２位置（例えば、貫通孔１２ｂ，１２ｃと第１螺着孔７４ａ，７４ｂとが合致する位置、図７（Ａ）参照）とのいずれかに取り付け可能であり、
前記設置板を前記第２上方位置とするときに前記腰板を前記第２位置に取り付けることで前記第１態様（例えば、図９参照）となり、前記設置板を前記第１上方位置とするときに前記腰板を前記第１位置に取り付けることで前記第２態様（例えば、図１０参照）となる
ことを特徴としている。
この特徴によれば、腰板を上方に移動するだけで、設置板の下方に遊技者側空間を容易に形成することができる。
【０００９】
本発明の手段２の遊技島は、請求項１または手段１に記載の遊技島であって、
前記腰板（例えば、腰板１１２Ｆ，１１２Ｂ／腰板２１２Ｆ，２１２Ｂ／腰板３１２Ｆ，３１２Ｂ／腰板４１２Ｆ，４１２Ｂ／第２腰板５６０）は、第１位置（例えば、第１縦フレーム７４，７４の外面）と該第１位置よりも遊技者から見て奥側の奥側位置（例えば、第１縦フレーム７４，７４よりも奥側の位置）とのいずれかに取り付け可能であり、
前記腰板を前記奥側位置に取り付けることで前記第１態様（例えば、図１４の右側、図１５（Ｂ）、図１６（Ｂ）、図１７（Ｂ）、図１８（Ｂ）、図１９、図２０（Ａ）（Ｂ）の右側参照）となり、前記腰板を前記第１位置に取り付けることで前記第２態様（例えば、図１４の左側、図１５（Ａ）、図１６（Ａ）、図１７（Ａ）、図２０（Ａ）（Ｂ）の左側参照）となる
ことを特徴としている。
この特徴によれば、腰板を奥側に移動するだけで、設置板の下方に遊技者側空間を容易に形成することができる。
【００１０】
本発明の手段３の遊技島は、請求項１、手段１、手段２のいずれかに記載の遊技島であって、
前記腰板は、第１腰板（例えば、腰板１２Ｆ，１２Ｂ／腰板１１２Ｆ，１１２Ｂ／腰板２１２Ｆ，２１２Ｂ／腰板３１２Ｆ，３１２Ｂ／腰板４１２Ｆ，４１２Ｂなど）と該第１腰板とは形態が異なる第２腰板（例えば、第２腰板５６０、仕切板１１５など、図１９（Ａ）（Ｂ）参照）とを含み、
前記第１腰板と前記第２腰板とは交換可能である（例えば、図１９（Ａ）（Ｂ）参照）
ことを特徴としている。
この特徴によれば、第１態様から第２態様に変更する際に、腰板を仕切位置から移動させためのスペースを確保する必要がない。
【００１１】
本発明の手段４の遊技島は、請求項１、手段１〜３のいずれかに記載の遊技島であって、
前記腰板（例えば、腰板４１２Ｆ，４１２Ｂ）は、上部側腰板（例えば、腰板４１２ａ）と該上部側腰板の下部に取り外し可能に取り付けられた下部側腰板（例えば、腰板４１２ｂ）と、から構成されている（例えば、腰板４１２ｂを、腰板４１２ａに対し取り外し可能に構成する、図２０（Ａ）中２点鎖線の腰板４１２ｂ参照）
ことを特徴としている。
この特徴によれば、下部側腰板を取り外すのみで、設置板の下方に遊技者側空間を容易に形成することができる。
【００１２】
本発明の手段５の遊技島は、請求項１、手段１〜４のいずれかに記載の遊技島であって、
前記遊技島（例えば、遊技島１）の下部に設けられる底板（例えば、底板１１）を備え、
前記底板は、前記第１態様であるときと前記第２態様であるときとで態様を変更可能である（例えば、底板１１は、図９に示すように、床面Ｙから上方に離れて配置される位置と、図１０、図１１に示すように、床面Ｙ上に設置される位置と、に移動可能である）
ことを特徴としている。
この特徴によれば、遊技島の態様の変更に応じて底板を適宜変化させることができる。
【００１３】
本発明の手段６の遊技島は、手段５に記載の遊技島であって、
前記底板（例えば、底板１１）は、前記腰板（例えば、腰板１２Ｆ，１２Ｂ）と一体に構成されている（例えば、図２参照）
ことを特徴としている。
この特徴によれば、設置板の下方に遊技者側空間を形成しつつ、遊技機の背面側に不正にアプローチすることを抑制することができる。
【００１４】
本発明の手段７の遊技島は、請求項１、手段１〜６のいずれかに記載の遊技島であって、
前記遊技島は、一方向に向けて設置される遊技機（例えば、封入式パチンコ遊技機２、通常のパチンコ遊技機２Ａ、スロットマシン３など）と、該第１遊技機の背面側に反対方向に向けて設置される遊技機と、を設置可能であり（例えば、遊技島１は設置空間部ＳＦ，ＳＢを有する、図２参照）、
前記第１態様において、遊技者から見て前記設置板の奥側の遊技者側空間を、前記一方向に向けて設置される遊技機側と前記反対方向に向けて設置される遊技機側とに仕切る仕切体（例えば、仕切体１１５の仕切板１１５ｂ）を備え、
前記仕切体は着脱可能に設けられている（例えば、仕切体１１５は、第１縦フレーム７４，７４に対し着脱可能に取り付けられている、図１４、図１９（Ｂ）参照）
ことを特徴としている。
この特徴によれば、対向して遊技を行っている遊技者同士の足が設置板の下方に形成された遊技者側空間内において接触することを防止することができる。
【００１５】
本発明の手段８の遊技島は、請求項１、手段１〜７のいずれかに記載の遊技島であって、
前記遊技島（例えば、遊技島１）は、前記遊技機（例えば、通常のパチンコ遊技機２Ａ）から払い出された遊技媒体（例えば、遊技球）を受け入れる箱体（例えば、球箱）を載置するための載置板（例えば、膳板１３）が設けられる態様（例えば、図１１参照）と、前記載置板が設けられない態様（例えば、図９、図１０参照）と、のいずれかに変更可能であり、
吸殻を回収する吸殻回収装置（例えば、吸殻回収装置６００）を備え、
前記吸殻回収装置は、
前記遊技機に対応して設けられ、吸殻を受け入れる吸殻受入部（例えば、吸殻受入部６０３）と、
前記吸殻受入部から受け入れた吸殻を回収部（図示略）まで搬送する吸殻搬送手段（例えば、搬送スクリュー６０１が内蔵された搬送管６０４など）と、を有し、
前記吸殻搬送手段は、前記支持体（例えば、支持体６６Ｌ，６６Ｒの連結ビーム７１）に支持されている（例えば、図２１参照）
ことを特徴としている。
この特徴によれば、吸殻回収装置の吸殻搬送手段が載置板ではなく支持体に支持されることで、遊技島が遊技機の種類に応じて載置板が設けられない態様に変更された場合でも吸殻搬送手段を支持することができるため、遊技島の設計の自由度が向上する。
【図面の簡単な説明】
【００１６】
【図１】実施例１における遊技島を示す正面図である。
【図２】図１のＡ−Ａ断面図である。
【図３】遊技島の内部構造を示す斜視図である。
【図４】遊技島の躯体構造を示す斜視図である。
【図５】腰板及び底板の構造を示す斜視図である。
【図６】図２のＢ−Ｂ断面図である。
【図７】腰板及び底板の動きを示す図６における遊技島のＣ−Ｃ断面図である。
【図８】腰板、底板及び回収通路の動きを示す図２における一部拡大断面図である。
【図９】封入式パチンコ遊技機が設置された状態を示す遊技島の断面図である。
【図１０】スロットマシンが設置された状態を示す遊技島の断面図である。
【図１１】通常のパチンコ遊技機が設置された状態を示す遊技島の断面図である。
【図１２】実施例２における遊技島を示す正面図である。
【図１３】（Ａ）は封入式パチンコ遊技機が設置された状態を示す遊技島の断面図、（Ｂ）は枢軸の構造を示す拡大図である。
【図１４】設置板の下方に空間が形成された状態を示す遊技島の断面図である。
【図１５】（Ａ）は遊技島が第２態様であるときの変形例１としての腰板を示す図、（Ｂ）は遊技島が第１態様であるときの腰板を示す図である。
【図１６】（Ａ）は遊技島が第２態様であるときの変形例２としての腰板を示す図、（Ｂ）は遊技島が第１態様であるときの腰板を示す図である。
【図１７】（Ａ）は遊技島が第２態様であるときの変形例３としての腰板を示す図、（Ｂ）は遊技島が第１態様であるときの腰板を示す図である。
【図１８】（Ａ）は遊技島が第１態様であるときの変形例４としての腰板を示す図、（Ｂ）は遊技島が第１態様であるときの腰板を示す図である。
【図１９】（Ａ）は遊技島が第１態様であるときの変形例５としての態様の一例を示す図、（Ｂ）は他の態様を示す図である。
【図２０】（Ａ）は遊技島の前面が第２態様、後面が第１態様であるときの態様を示す図、（Ｂ）は遊技島の前面が第２態様、後面が第１態様であるときの態様を示す図である。
【図２１】遊技島が第２態様であるときの態様を示す図である。
【発明を実施するための形態】
【００１７】
本発明に係る遊技島を実施するための形態を実施例に基づいて以下に説明する。
【実施例１】
【００１８】
本発明の実施例１としての遊技島について、図面に基づいて説明する。図１は、実施例１における遊技島を示す正面図である。図２は、図１のＡ−Ａ断面図である。図３は、遊技島の内部構造を示す斜視図である。図４は、遊技島の躯体構造を示す斜視図である。図５は、腰板及び底板の構造を示す斜視図である。図６は、図２のＢ−Ｂ断面図である。図７は、腰板及び底板の動きを示す図６のＣ−Ｃ断面図である。図８は、腰板、底板及び回収通路の動きを示す図２の一部拡大断面図である。図９は、封入式パチンコ遊技機が設置された状態を示す遊技島の断面図である。図１０は、スロットマシンが設置された状態を示す遊技島断面図である。図１１は、通常のパチンコ遊技機が設置された状態を示す遊技島の断面図である。尚、以下の説明においては、説明の便宜上、図１における紙面手前側（図１における封入式パチンコ遊技機の正面側）を遊技島の前面側、図１における紙面奥側（図１における封入式パチンコ遊技機の背面側）を遊技島の背面（後面）側として説明する。
【００１９】
図１〜図３に示すように、本発明の実施例１としての遊技島１は、例えば、遊技店（図示略）内に複数配設されている。遊技島１は、遊技機を左右方向に向けて複数設置可能に横長に構成され、その前後面には、遊技機が設置される設置空間部ＳＦ，ＳＢが長手方向に向けて複数個所に形成されている。前面側の各設置空間部ＳＦ及び後面側の各設置空間部ＳＢには、遊技機の一例である封入式パチンコ遊技機２が設置されているとともに、各封入式パチンコ遊技機２に対応してカードユニット６及びユーティリティーユニット７が複数設置されている。
【００２０】
尚、封入式パチンコ遊技機２とは、予め定められた球数の遊技球が遊技機内部に循環可能に内封され、遊技者による貸出要求に応じて貸し出された貸出球や、入賞に応じて付与された賞球数が加算される一方、遊技に使用された遊技球数が減算されて記憶されるパチンコ遊技機のことである。
【００２１】
ユーティリティーユニット７は、上部ユニット６１と長板状に形成された設置板１３ａとの間に立設される支持フレーム３１０を備え、該支持フレーム３１０には、例えば、空気清浄装置３０１と、分煙ボード３０２と、が配設されている。尚、本実施例では、ユーティリティーユニット７には、空気清浄装置３０１と、分煙ボード３０２と、が配設されているが、配設される装置や部位は種々に変更可能である。
【００２２】
本実施例１における躯体５は、封入式パチンコ遊技機２の他、通常のパチンコ遊技機２Ａ（図１１参照）やスロットマシン３（図１０参照）等の遊技機を支持する支持体であって、遊技店等の床面Ｙ上に立設される下部ユニット６０と、下部ユニット６０の上部に設置される上部ユニット６１と、から主に構成される。尚、通常のパチンコ遊技機２Ａとは、本実施例の遊技島１の内部に設けられた図示しない供給装置から遊技球の供給を受け、遊技者の遊技の結果として払い出された遊技球を下皿２ｂに貯留、かつ、排出可能であるとともに、遊技に使用された遊技球を該パチンコ遊技機２Ａの背面側に排出するパチンコ遊技機のことである。
【００２３】
上部ユニット６１は、木板により前後方向に開口する箱状に形成される幕板部５０ａと、該幕板部５０ａを支持する金属製フレームである上部フレーム体１７４と、からなるユニットであり、幕板部５０ａの前後面には、遊技店員を呼出す呼出しスイッチ（図示略）や遊技に関する情報の表示が可能、つまり、遊技店員の呼出しや遊技に関連する情報の報知等が可能な報知装置としての呼出しランプ２００が配設された幕板５０が、上辺を中心として開閉可能に取り付けられるようになっている。
【００２４】
図２〜図４に示すように、下部ユニット６０は、管状の金属製フレームにより、遊技島１の下部である腰部及び中間部である設置部を構成するユニットであり、その前後面下部には、木製の腰板１２Ｆ，１２Ｂ及びその上方に固定される設置板１３ａが取り付けられるようになっており、該設置板１３ａの上面、つまり設置空間部ＳＦ，ＳＢには、封入式パチンコ遊技機２が設置板１３ａの長手方向に沿って設置されるとともに、カードユニット６、ユーティリティーユニット７が設置固定されるようになっている。また、下部ユニット６０内には、躯体５において通常のパチンコ遊技機２Ａを支持（設置）した際に、パチンコ遊技機２Ａから排出された遊技に使用された遊技球を遊技島１の内部に設けられた揚送研磨装置（図示せず）まで回収搬送する回収通路１０５が、遊技島１の長手方向に向けて設置されている。
【００２５】
図４に示すように、下部ユニット６０は、互いに長手方向に対向して配置されるように所定の間隔を隔てて立設される左右一対の支持体６６Ｌ，６６Ｒと、これら支持体６６Ｌ，６６Ｒ間を連結する前後一対の連結フレーム６７Ｆ，６７Ｂと、からなる。連結フレーム６７Ｆ，６７Ｂを介して一体化された左右一対の支持体６６Ｌ，６６Ｒからなる下部ユニット６０は、躯体５の長手方向に沿って所定間隔おきに設置される。
【００２６】
以下、支持体６６Ｌ，６６Ｒの構成について説明する。尚、支持体６６Ｌ，６６Ｒは、連結フレーム６７Ｆ，６７Ｂが左側か右側のいずれかに連結されている点のみが異なり、その他は同様に構成されているため、以下においては左側の支持体６６Ｌについて説明し、右側の支持体６６Ｒについての説明は省略することとする。
【００２７】
支持体６６Ｌは、床面Ｙ上に立設される前支持体７０Ｆと、床面Ｙ上に立設され前支持体７０Ｆの背面側に並設される後支持体７０Ｂと、これら前支持体７０Ｆと後支持体７０Ｂとを連結する上下の連結ビーム７１，７２と、から構成されている。前支持体７０Ｆ及び後支持体７０Ｂは、それぞれ同形状に形成され、前後対象に配置されており、封入式パチンコ遊技機２の下部を支持する前後一対の下部フレーム体１７３，１７３と、下部フレーム体１７３，１７３の上方に設けられ封入式パチンコ遊技機２の上部を支持する上部フレーム体１７４，１７４と、から構成されている。
【００２８】
下部フレーム体１７３，１７３は、床面Ｙに立設される第１縦フレーム７４，７４と、第１縦フレーム７４，７４の上部から互いに他方の支持体に向けて略水平に延設される横フレーム７５，７５と、横フレーム７５，７５から上方に延設され上部フレーム体１７４，１７４が上下方向に位置調整可能に設けられる第２縦フレーム７６，７６と、を備えている。
【００２９】
尚、本実施例では、これら各フレーム７４〜７６及び連結ビーム７１，７２は、断面略長方形状の金属管にて構成されているが、合成樹脂材からなる管体や非中空の柱状部材にて構成されていてもよく、素材や断面形状などは種々に変形可能である。また、第１縦フレーム７４，７４は、高さ位置を調整可能に構成されており、床面Ｙが平坦や水平でないときなどに対応して左右の支持体６６Ｌ，６６Ｒそれぞれの前後の支持体７０Ｆ，７０Ｂの高さ位置を調整することで、設置板１３ａを略水平に配置できるようになっている。
【００３０】
横フレーム７５，７５は、一端が第１縦フレーム７４，７４の上端に溶着固定され、互いに他方の支持体に向けて略水平に延設された短寸のフレームにて構成されている。第２縦フレーム７６，７６は、横フレーム７５，７５における互いに対向する端部から上方に向けて延設されている。第２縦フレーム７６，７６の上下部には、連結ビーム７１，７２の端部がそれぞれ溶着により固定されている。また、上部フレーム体１７４，１７４には、上部ユニット６１（図３参照）が取り付けられる。
【００３１】
また、長手方向に対向する支持体６６Ｌ，６６Ｒの横フレーム７５，７５の上面には、躯体５とは別個に側面視四角枠状に形成された設置枠１２０がネジ（図示略）等により着脱可能に取り付けられ、各設置枠１２０の上面に設置板１３ａが左右方向に架け渡され、これら設置板１３ａの上面に封入式パチンコ遊技機２を載置できるようになっている。つまり、長板状の設置板１３ａは、複数の支持体６６Ｌ，６６Ｒ間における該支持体６６Ｌ，６６Ｒの下端より上方の上方位置に架設される。
【００３２】
設置板１３ａは、封入式パチンコ遊技機２を設置可能な前後幅寸法を有し、遊技島１の長手方向に向けて延びる所定長さの木製の長板からなる。尚、設置板１３ａの前後幅寸法は、封入式パチンコ遊技機２の他、通常のパチンコ遊技機２Ａやスロットマシン３も設置可能となるように形成されている。
【００３３】
これにより、躯体５における下部ユニット６０と上部ユニット６１との間の前後面に、封入式パチンコ遊技機２の他、通常のパチンコ遊技機２Ａやスロットマシン３などの遊技機を設置可能な設置空間部ＳＦ，ＳＢが設けられる。詳しくは、設置空間部ＳＦは、下部ユニット６０における各前支持体７０Ｆの横フレーム７５の上面に架け渡される設置板１３ａと上部ユニット６１との間に形成され、設置空間部ＳＢは、下部ユニット６０における各後支持体７０Ｂの横フレーム７５の上面に架け渡される設置板１３ａと上部ユニット６１との間に形成される。そして、設置空間部ＳＦ，ＳＢに設置された封入式パチンコ遊技機２の下面は、下部ユニット６０における横フレーム７５の上面により下方から支持され、設置空間部ＳＦ，ＳＢに設置される遊技機の上面は、上部ユニット６１の下面により支持される。
【００３４】
図１及び図２には、躯体５における前面側の設置空間部ＳＦ及び後面側の設置空間部ＳＢに封入式パチンコ遊技機２を設置した状態が示されている。また、左右の支持体６６Ｌ，６６Ｒの離間幅は、所定台数（本実施例では２台）の遊技機とそれに対応するカードユニット６、ユーティリティーユニット７等の合計幅寸法とほぼ同じとされているため、遊技機を設置する際に支持体６６Ｌ，６６Ｒが邪魔になることがないが、遊技機の幅寸法に応じて連結フレーム６７Ｆ，６７Ｂの長さを調整することができるようにしてもよい。
【００３５】
封入式パチンコ遊技機２は、遊技を行うために遊技球を遊技領域（図示略）に発射するが、この遊技を行う際に遊技者により操作されるハンドルなどの操作部２ａが、遊技機本体の下部位置に配設されている。よって、封入式パチンコ遊技機２を設置空間部ＳＦ，ＳＢに設置する場合、横フレーム７５の上面に設置枠１２０を配置して横フレーム７５よりも上方位置に遊技機の支持面を形成する。具体的には、遊技島１の長手方向である左右方向に沿って各設置枠１２０の上面に設置板１３ａを架設し、この設置板１３ａ上に封入式パチンコ遊技機２の下面を釘（図示略）等により固定する。また、設置枠１２０の上面に合わせて、第２縦フレーム７６に対して上部フレーム体１７４を上昇させて所定の高さ位置にて保持することで設置空間部ＳＦ，ＳＢの上下幅寸法が確保され、封入式パチンコ遊技機２の上面を釘（図示略）等により上部ユニット６１の下面に固定することによって、封入式パチンコ遊技機２を設置空間部ＳＦ，ＳＢに設置固定することができる。このように本実施例の躯体５には、封入式パチンコ遊技機２等の遊技機を設置するための複数の設置空間部ＳＦ，ＳＢが長手方向（左右方向）に向けて設けられる。
【００３６】
尚、本実施例の遊技島１は、前述したように、封入式パチンコ遊技機２の他、通常のパチンコ遊技機２Ａやスロットマシン３を設置することが可能となっている。具体的には、通常のパチンコ遊技機２Ａを設置空間部ＳＦ，ＳＢに設置する場合は、図１１に示すように、横フレーム７５の上面に設置枠１２０を取り付け、遊技島１の長手方向である左右方向に沿って該設置枠１２０の上面に膳板１３を架け渡す。更に、膳板１３の上面に設置板１３ａを載置する。
【００３７】
膳板１３の前後幅寸法は、設置板１３ａの前後幅寸法よりも長寸（例えば、約２倍）とされ、設置空間部ＳＦ，ＳＢに取り付けられた状態において、膳板１３は設置板１３ａよりも遊技者側に突出するように設けられる。このように設置空間部ＳＦ，ＳＢに取り付けられた設置板１３ａ上に通常のパチンコ遊技機２Ａを釘（図示略）等により固定する。また、膳板１３の上下幅寸法分上方に移動した設置板１３ａの上面に合わせて、第２縦フレーム７６に対して上部フレーム体１７４を上昇させて所定の高さ位置にて保持することで設置空間部ＳＦ，ＳＢの上下幅寸法が確保され、パチンコ遊技機２Ａの上面を釘（図示略）等により上部ユニット６１の下面に固定することによって、パチンコ遊技機２Ａを設置空間部ＳＦ，ＳＢに設置固定することができる。
【００３８】
尚、封入式パチンコ遊技機２と異なり通常のパチンコ遊技機２Ａを設置空間部ＳＦ，ＳＢに設置する場合に膳板１３を設置枠１２０の上面に架け渡すのは、該膳板１３の上面にパチンコ遊技機２Ａから賞球等として排出される遊技球を貯留するための球箱２０を載置するためである。
【００３９】
また、図１０に示すように、スロットマシン３は、遊技を行うためにメダルを投入したり、複数種類の図柄が可変表示される可変表示装置（リール）の回転を開始または停止する各種スイッチなどの操作部が、遊技機本体の上下方向の略中央位置に配設されている。よって、スロットマシン３を設置空間部ＳＦ，ＳＢに設置する場合は、横フレーム７５の上面に設置板１３ａのみを掛け渡し、該設置板１３ａにスロットマシン３の下面を釘（図示略）等により固定する。また、横フレーム７５の上面に合わせて、第２縦フレーム７６に対して上部フレーム体１７４を下降させて下限位置にて保持することで設置空間部ＳＢの上下幅寸法が確保され、スロットマシン３の上面を釘（図示略）等により上部ユニット６１の下面に固定することによって、スロットマシン３を設置空間部ＳＦ，ＳＢに設置固定することができる。
【００４０】
尚、設置空間部ＳＦ，ＳＢにスロットマシン３を設置する場合は、設置空間部ＳＦ，ＳＢにユーティリティーユニット７とともにスロットマシン３の遊技において使用するメダルを貸し出すためのメダル貸出機を設置すれば良い。
【００４１】
次に、腰板１２Ｆ，１２Ｂについて説明する。図２、図５及び図６に示すように、本実施例の腰板１２Ｆ，１２Ｂは、左右の支持体６６Ｌ，６６Ｒの第１縦フレーム７４，７４と略同一の上下幅寸法で、左右の支持体６６Ｌ，６６Ｒの第１縦フレーム７４，７４間の離間幅寸法よりも若干長寸の左右幅寸法を有しており、設置板１３ａの下方に該設置板１３ａの長手方向に沿うように、各下部ユニット６０における設置空間部ＳＦ側及び設置空間部ＳＢ側において第１縦フレーム７４，７４よりも遊技者側に配置されている。
【００４２】
腰板１２Ｆ，１２Ｂの内面左右端部には、突部１２ａ，１２ａが突出形成されている。これら突部１２ａ，１２ａは、腰板１２Ｆ，１２Ｂの上下幅に亘って延設されており、突部１２ａ，１２ａそれぞれの左右外側面が、左右の第１縦フレーム７４，７４の対向面（左右内側面）に当接するようになっている。また、突部１２ａ，１２ａには、左右方向に貫通する貫通孔１２ｂ，１２ｃが上下位置に形成されている。
【００４３】
第１縦フレーム７４，７４には、左右方向に貫通する第１螺着孔７４ａ，７４ｂ、第２螺着７５ａ，７５ｂが上下方向の複数個所に形成されている。詳しくは、第１螺着孔７４ａは第１縦フレーム７４，７４の上部に形成され、第１螺着孔７４ｂは第１螺着孔７４ａから所定幅離間した下方位置に形成されている。また、第２螺着孔７５ａは第１縦フレーム７４，７４における第１螺着孔７４ａの下方であって第１螺着孔７４ｂよりも上方位置に形成され、第２螺着孔７５ｂは第１螺着孔７４ｂから所定幅離間した下方位置に形成されている。そして、これら第１螺着孔７４ａ，７４ｂの離間幅と、第２螺着７５ａ，７５ｂの離間幅とは、貫通孔１２ｂ，１２ｃの離間幅と同じとされている。つまり、貫通孔１２ｂ，１２ｃは、図７（Ａ）に示す第１螺着孔７４ａ，７４ｂまたは図７（Ｂ）に示す第２螺着孔７５ａ，７５ｂのいずれかに合致させることができるようになっている。
【００４４】
腰板１２Ｆ，１２Ｂは、各突部１２ａ，１２ａの外側面を左右の第１縦フレーム７４，７４それぞれの対向面（内側面）に当接するとともに、内面を第１縦フレーム７４，７４の前後面に当接し、各突部１２ａ，１２ａの貫通孔１２ｂ，１２ｃを第１螺着孔７４ａ，７４ｂまたは第２螺着孔７５ａ，７５ｂのいずれかに合致させた状態で、突部１２ａ，１２ａの内側から第１螺着孔７４ａ，７４ｂまたは第２螺着孔７５ａ，７５ｂのいずれかにボルトＢ１を螺挿することで、第１縦フレーム７４，７４に取り付けることができるようになっている。
【００４５】
詳しくは、腰板１２Ｆ，１２Ｂは、図７（Ａ）に示すように、下端部を床面Ｙから所定幅離間させるように、貫通孔１２ｂ，１２ｃを第１螺着孔７４ａ，７４ｂに合致させた状態で、それぞれの貫通孔１２ｂ，１２ｃにボルトＢ１を螺挿することにより、第１縦フレーム７４，７４の第２位置に取り付けることができ、これにより腰板１２Ｆ，１２Ｂの下方、つまり、設置板１３ａの下方における左右の第１縦フレーム７４，７４間に遊技島１の前後方向に連通する遊技者側空間４００（図２参照）が形成される。つまり、設置板１３ａの下方における第１縦フレーム７４，７４間の下部に、遊技者の足を挿入可能な開口が形成される。
【００４６】
また、腰板１２Ｆ，１２Ｂは、図７（Ｂ）に示すように、下端部を床面Ｙに設置または近接するように、貫通孔１２ｂ，１２ｃを第２螺着孔７５ａ，７５ｂに合致させた状態で、それぞれの貫通孔１２ｂ，１２ｃにボルトＢ１を螺挿することにより、第１縦フレーム７４，７４の第１位置に取り付けることもでき、この場合は腰板１２Ｆ，１２Ｂの下方に遊技者側空間４００が形成されない。つまり、設置板１３ａの下方における第１縦フレーム７４，７４間の下部に遊技者の足を挿入可能な開口が形成されない。
【００４７】
このように腰板１２Ｆ，１２Ｂは、設置板１３ａの下方における左右の第１縦フレーム７４，７４間に形成される空間に設置板１３ａに沿うように配置されることで、床面Ｙとその上方の設置板１３ａと左右の第１縦フレーム７４，７４とにより形成される四角枠状の開口を被覆する。
【００４８】
設置空間部ＳＦ側に配置された腰板１２Ｆと設置空間部ＳＢ側に配置された腰板１２Ｂとの下端部には底板１１が取り付けられ、腰板１２Ｆ，１２Ｂと底板１１とにより側面視略上向きコ字形に形成されている。底板１１は、腰板１２Ｆ，１２Ｂと略同一の左右幅寸法を有しており、各突部１２ａ，１２ａの近傍には、第１縦フレーム７４，７４の右半分または左半分が挿通配置される溝部１１ａが形成されている。本実施例では、腰板１２Ｆ，１２Ｂと底板１１とが側面視略上向きコ字形に一体に構成されることで、これら腰板１２Ｆ，１２Ｂ及び底板１１は、第１縦フレーム７４，７４に沿って上下方向に一体となって移動可能となっている。
【００４９】
このため、本実施例の腰板１２Ｆ，１２Ｂ及び底板１１は、図７（Ａ）に示すように腰板１２Ｆ，１２Ｂの下端部が床面Ｙから離間した状態で第１縦フレーム７４，７４の第２位置に取り付けることで、腰板１２Ｆ，１２Ｂの下方における第１縦フレーム７４，７４間に遊技者側空間４００が形成される第１態様と、図７（Ｂ）に示すように腰板１２Ｆ，１２Ｂの下端部及び底板１１の下面が床面Ｙに当接した状態で第１縦フレーム７４，７４の第１位置に取り付けることで、腰板１２Ｆ，１２Ｂの下方における第１縦フレーム７４，７４間に遊技者側空間４００が形成されない第２態様と、のいずれかに変更可能となっている。
【００５０】
また、図２に示すように、前述した回収通路１０５は、上面が開口する箱状をなし、遊技島１の長手方向に向けて延設され、底板１１の上面に設置されている。回収通路１０５の前辺及び後辺には、上方に向けて壁部１０５ａ，１０５ａが形成されており、これら壁部１０５ａ，１０５ａには、前後方向を向く貫通孔１０５ｂ，１０５ｃが上下位置に形成されている。これら壁部１０５ａ，１０５ａの上部は、設置空間部ＳＦ側に設けられた第２縦フレーム７６と、設置空間部ＳＢ側に設けられた第２縦フレーム７６との間に配置されている。
【００５１】
尚、設置空間部ＳＦ側に設けられた第２縦フレーム７６及び設置空間部ＳＢ側に設けられた第２縦フレーム７６には、第３螺着孔７６ａと該第３螺着孔７６ａの下方位置に第４螺着孔７６ｂとが形成されている。これら第３螺着孔７６ａと第４螺着孔７６ｂとの上下方向の離間幅は、貫通孔１０５ｂ，１０５ｃの上下方向の離間幅と同じとされている。つまり、貫通孔１０５ｂ，１０５ｃは、図７（Ａ）に示す第３螺着孔７６ａと第４螺着孔７６ｂまたは図７（Ｂ）に示す貫通孔１０５ｃのみを第４螺着孔７６ｂに合致させることができるようになっている。
【００５２】
回収通路１０５は、各壁部１０５ａ，１０５ａの外面上部を前後の第２縦フレーム７６，７６それぞれの対向面（内側面）に当接した状態で、各壁部１０５ａ，１０５ａの貫通孔１０５ｂ，１０５ｃを第３螺着孔７６ａ及び第４螺着孔７６ｂ双方または貫通孔１０５ｂのみを第４螺着孔７６ｂに合致させた状態で、各壁部１０５ａ，１０５ａの貫通孔１０５ｂ，１０５ｃから第３螺着孔７６ａ及び第４螺着孔７６ｂ双方または第４螺着孔７６ｂのみにボルトＢ２を螺挿することで第２縦フレーム７６，７６に対して取り付けられる。
【００５３】
特に、本実施例の回収通路１０５は、図８（Ａ）に示すように、腰板１２Ｆ，１２Ｂの下方に遊技者側空間４００が形成される第１態様とする場合、腰板１２Ｆ，１２Ｂと一体に構成されている底板１１に載置されているため、貫通孔１０５ｂ，１０５ｃを第３螺着孔７６ａ及び第４螺着孔７６ｂ双方に合致させ、壁部１０５ａ，１０５ａの上端部が設置板１３ａの上面よりも上方位置となる状態で、ボルトＢ２を貫通孔１０５ｂ，１０５ｃから第３螺着孔７６ａ及び第４螺着孔７６ｂに螺挿することで第２縦フレーム７６，７６に対して取り付けられる一方、図８（Ｂ）に示すように、腰板１２Ｆ，１２Ｂにより遊技者側空間４００が形成されない第２態様とする場合、腰板１２Ｆ，１２Ｂと一体に構成されている底板１１の下面が床面Ｙに当接しているため、貫通孔１０５ｂを第４螺着孔７６ｂのみに合致させ、壁部１０５ａ，１０５ａの上端部が設置板１３ａの上面よりも下方位置となる状態で、ボルトＢ２を貫通孔１０５ｂから第４螺着孔７６ｂに螺挿することで第２縦フレーム７６，７６に対して取り付けられる。
【００５４】
つまり、本実施例の回収通路１０５は、腰板１２Ｆ，１２Ｂ及び底板１１の上下動に応じて上下方向に移動可能となっている。回収通路１０５は、上面が開口する箱状に形成され、通常のパチンコ遊技機２Ａから排出された遊技球を誘導する底面が、図示しない揚送研磨装置に自然流下により誘導できるように該揚送研磨装置に向けて下方に傾斜している（図１参照）。よって、回収通路１０５の底面は、揚送研磨装置の反対側が傾斜上位側となり、揚送研磨装置側が傾斜下位側となるため、揚送研磨装置の近傍位置では、反対側に比べて回収通路１０５の底面と床面Ｙとの間の空間が狭くなる。よって、遊技者側空間４００が形成される第１態様とする場合、回収通路１０５を腰板１２Ｆ，１２Ｂ及び底板１１とともに上方に移動できるようになっている。
【００５５】
本実施例の遊技島１は、床面Ｙ上に設置される躯体５の前後左右側面に、腰板１２Ｆ，１２Ｂ、膳板１３や設置板１３ａ、遊技機、幕板５０及び遊技島１の長手方向の両端部の側板（図示略）が取り付けられることにより構成され、これら腰板１２Ｆ，１２Ｂ、膳板１３や設置板１３ａ、遊技機、幕板５０及び側板により覆われた空間を遊技島１の内部空間とし、該内部空間内には、遊技機の関連設備等が配設される。
【００５６】
パチンコ遊技機２に関連する関連設備の一例として、本実施例では、パチンコ遊技機２から排出される遊技球を回収して図示しない揚送装置に供給するための回収通路１０５が記載されていたが、パチンコ遊技機２に関連する関連設備とは、遊技機の設置に付帯して設置される設備であればよく、例えば、設置される遊技機が遊技球を排出するとともに、排出し回収された遊技球を補給することにより遊技が可能となる遊技機である場合、遊技球を揚送する揚送装置や供給装置など、遊技島１内に設置される遊技球の循環経路等も含まれる。また、紙幣を受け付けることにより遊技を行う際に使用する遊技球を貸し出す貸出装置から回収した貨幣を回収する貨幣回収装置なども含まれる。
【００５７】
また、本実施例では、腰板１２Ｆ，１２Ｂや回収通路１０５は、遊技島１の長手方向に向けて左右の支持体６６Ｌ，６６Ｒの離間幅に合わせて複数に分割して形成されているが、長手方向にわたり連続する一の部材として構成されていてもよい。
【００５８】
このように構成される本実施例の遊技島１は、図１及び図９に示すように、遊技島１の設置空間部ＳＦ，ＳＢに封入式パチンコ遊技機２を設置する場合は、腰板１２Ｆ，１２Ｂの下端部、底板１１の下面及び回収通路１０５を床面Ｙから離間させた状態で、腰板１２Ｆ，１２Ｂを第１縦フレーム７４，７４の第２位置に取り付けるとともに、回収通路１０５の壁部１０５ａ，１０５ａを第２縦フレーム７６、７６の第２位置に取り付けて、遊技島１を第１態様とすることで、腰板１２Ｆ，１２Ｂの下方における床面Ｙから所定高さ位置にかけて、遊技者が脚の一部である爪先を挿入することができる上下幅寸法Ｌ（例えば、約１０〜３０ｃｍ）を有する遊技者側空間４００が形成される。
【００５９】
尚、本実施例のように遊技島１の設置空間部ＳＦ，ＳＢに封入式パチンコ遊技機２を設置する場合は、パチンコ遊技機２に関連する関連設備である回収通路１０５を使用しないため、回収通路１０５を腰板１２Ｆ，１２Ｂとともに床面Ｙから離間させる方向（上方）に移動させて第２縦フレーム７６，７６に取り付けているが、本発明はこれに限定されるものではなく、遊技島１の設置空間部ＳＦ，ＳＢに設置されている封入式パチンコ遊技機２を設置する場合、回収通路１０５を遊技島１内から取り除いても良い。
【００６０】
図１０に示すように、遊技島１の設置空間部ＳＦ，ＳＢにスロットマシン３を設置する場合は、腰板１２Ｆ，１２Ｂの下端部、底板１１の下面を床面Ｙに当接させて腰板１２Ｆ，１２Ｂを第１縦フレーム７４，７４の第１位置に取り付けるとともに、回収通路１０５の壁部１０５ａ，１０５ａを第２縦フレーム７６，７６の第１位置に取り付けて、遊技島１を第２態様とする。このとき、腰板１２Ｆ，１２Ｂの上端部と設置板１３ａの下面及び腰板１２Ｆ，１２Ｂの下端部と床面Ｙとが当接することにより、腰板１２Ｆ，１２Ｂにより遊技者側空間４００及び内部空間３００が遊技者側から完全に被覆される。
【００６１】
図１１に示すように、遊技島１の設置空間部ＳＦ，ＳＢに通常のパチンコ遊技機２Ａを設置する場合は、腰板１２Ｆ，１２Ｂの下端部、底板１１の下面を床面Ｙに当接させて腰板１２Ｆ，１２Ｂを第１縦フレーム７４，７４における第１位置に取り付けるとともに、回収通路１０５の壁部１０５ａ，１０５ａを第２縦フレーム７６，７６における第１位置に取り付けて、遊技島１を第２態様とすることで、回収通路１０５にてパチンコ遊技機２Ａから排出される遊技球を回収搬送可能とする。
【００６２】
尚、遊技島１の設置空間部ＳＦ，ＳＢに通常のパチンコ遊技機２Ａを設置する場合は、膳板１３，１３と腰板１２Ｆ，１２Ｂの間に、腰板１２Ｆ，１２Ｂと略同一の左右幅寸法を有するとともに、設置枠１２０と略同一の上下幅寸法を有するスペーサ５００，５００を取りつけることで、これらスペーサ５００，５００及び腰板１２Ｆ，１２Ｂにより遊技者側空間４００及び内部空間３００が遊技者側から完全に被覆される。
【００６３】
尚、遊技島１の設置空間部ＳＦ，ＳＢにスロットマシン３を設置する場合は、回収通路１０５を使用しないため、回収通路１０５を腰板１２Ｆ，１２Ｂとともに床面Ｙから離間させる方向（上方）に移動させて第２縦フレーム７６，７６に取り付けているが、本発明はこれに限定されるものではなく、遊技島１の設置空間部ＳＦ，ＳＢにスロットマシン３を設置する場合は、回収通路１０５を遊技島１内から取り外すようにしても良い。
【００６４】
以上説明したように、本発明の実施例１としての遊技島１にあっては、所定の間隔を隔てて立設される複数の支持体６６Ｌ，６６Ｒと、該複数の支持体６６Ｌ，６６Ｒ間における該支持体６６Ｌ，６６Ｒの下端より上方の上方位置に架設される長板状の設置板１３ａと、設置板１３ａの下方に該設置板１３ａの長手方向に沿って配設される腰板１２Ｆ，１２Ｂと、を備え、該設置板１３ａの長手方向に沿って遊技機（例えば、封入式パチンコ遊技機２、通常のパチンコ遊技機２Ａ、スロットマシン３など）が設置され、設置板１３ａは、遊技機にて遊技を行う遊技者側から見て腰板１２Ｆ，１２Ｂの奥側に配設される回収通路１０５が不要な第１遊技機としての封入式パチンコ遊技機２やスロットマシン３と、回収通路１０５が必要な第２遊技機としての通常のパチンコ遊技機２Ａと、を含む複数種類の遊技機を設置可能であり、第１遊技機に対応可能な態様（設置板１３ａに封入式パチンコ遊技機２（スロットマシン３）が設置されるときの態様）であって腰板１２Ｆ，１２Ｂにより設置板１３ａの下方における左右の第１縦フレーム７４，７４間の少なくとも下部に遊技者側空間４００が形成される第１態様（例えば、図９参照）と、第２遊技機に対応可能な態様（設置板１３ａに通常のパチンコ遊技機２Ａが設置されるときの態様）であって設置板１３ａの下方における左右の第１縦フレーム７４，７４間に遊技者側空間４００が形成されない第２態様（例えば、図１０，１１参照）と、のいずれかに変更可能である。
【００６５】
また、設置板１３ａに設置される遊技機に応じて該設置板１３ａを第１上方位置（例えば、横フレーム７５，７５の上面、図１０参照）と該第１上方位置よりも上方の第２上方位置（例えば、設置枠１２０の上面、図９、図１１参照）とに変更可能であり、腰板１２Ｆ，１２Ｂは、第１位置と該第１位置よりも上方の第２位置とのいずれかに取り付け可能であり、設置板１３ａを第２上方位置とするときに腰板１２Ｆ，１２Ｂを第２位置に取り付けることで第１態様（例えば、図９参照）となり、設置板１３ａを第１上方位置とするときに腰板１２Ｆ，１２Ｂを第１位置に取り付けることで第２態様（例えば、図１０参照）となるため、腰板１２Ｆ，１２Ｂを上方に移動するだけで、設置板１３ａの下方に遊技者側空間４００を容易に形成することができる。
【００６６】
つまり、前記実施例１では、第１縦フレーム７４，７４には、腰板１２Ｆ，１２Ｂを第１位置に取り付けるための第１取付部としての第１螺着孔７４ａ，７４ｂと、第２位置に取り付けるための第２取付部としての第２螺着孔７５ａ，７５ｂとが予め形成されており、腰板１２Ｆ，１２Ｂを第１縦フレーム７４，７４の第１位置または第１位置よりも上方の第２位置のいずれかに選択的に取り付けることができることで、遊技島１を第１態様または第２態様のいずれかに変更することができる。
【００６７】
よって、遊技島１を第１態様とすることで、遊技者の脚が設置板１３ａより奥側に入り込むことが防止され、遊技島１を第２態様とすることで、遊技者の脚が左右の第１縦フレーム７４，７４に形成された遊技者側空間４００を介して設置板１３ａより奥側に挿入可能となるため、遊技機に関連する関連設備である回収通路１０５が不要な遊技機が設置されたときと関連設備が必要な遊技機が設置されたときとで、設置板１３ａの下方の態様を設置された遊技機に適した態様に変更することができる。
【００６８】
尚、本実施例では、第１取付部や第２取付部の一例としてネジ孔が記載されていたが、本発明はこれに限定されるものではなく、腰板１２Ｆ，１２Ｂを取り付け可能なものであればネジ孔以外でもよく、例えば、腰板１２Ｆ，１２Ｂを係止可能な係止部等であってもよい。
【００６９】
また、本実施例では、遊技島１の下部に設けられる底板１１を備え、底板１１は、第１態様であるときと第２態様であるときとで態様を変更可能、つまり、図９に示すように、床面Ｙから上方に離れて配置される位置と、図１０及び図１１に示すように、床面Ｙ上に設置される位置とに移動可能であることで、遊技島１の態様の変更に応じて底板１１を適宜変化させることができる。
【００７０】
また、この底板１１は、腰板１２Ｆ，１２Ｂと一体に構成されていることで、遊技島１の下部に遊技者側空間４００が形成されたときにおいても、底板１１により遊技島１の下面が被覆されるため、設置板１３ａの下方に遊技者側空間４００を形成しつつ、遊技機の背面側に不正にアプローチすることを抑制することができる。また、設置されている遊技機から排出された遊技球や、遊技機に設けられた部品や設置するためのネジ等が零れ落ちることが防止されるとともに、遊技機の背面側から漏れる音等が外部に漏れることが防止されるため、雑音により遊技者に不快感を与えることが防止される。
【実施例２】
【００７１】
次に、実施例２に係る遊技島につき、図１２〜図１４を参照して説明する。図１２は、実施例２における遊技島を示す正面図である。図１３は、（Ａ）は封入式パチンコ遊技機が設置された状態を示す遊技島の断面図、（Ｂ）は枢軸の構造を示す拡大図である。図１４は、設置板の下方に空間が形成された状態を示す遊技島の断面図である。尚、前記実施例と同一構成で重複する構成については、同様の符号を付すことにより詳細な説明を省略する。
【００７２】
図１２〜図１４に示すように、本発明の実施例２としての遊技島１には、横フレーム７５の上面に設置枠１２０が取り付けられており、該設置枠１２０の上面に膳板１３が架け渡されている。更に、膳板１３，１３の上面に設置板１３ａ，１３ａが載置されており、設置板１３ａの上面には通常のパチンコ遊技機２Ａが釘（図示略）等により固定されている。また、回収通路１０５は内部空間３００内において床面Ｙに設置されており、壁部１０５ａ，１０５ａは貫通孔１０５ｂを第２縦フレーム７６，７６の第４螺着孔７６ｂにボルトＢ２を螺挿することにより第１位置に取り付けられている。
【００７３】
更に、設置板１３ａの下方における左右の第１縦フレーム７４，７４間には、腰板１１２Ｆ，１１２Ｂが設置板１３ａに沿って配置されている。また、膳板１３，１３と腰板１１２Ｆ，１１２Ｂとの間には、腰板１２Ｆ，１２Ｂと略同一の左右幅寸法を有するとともに、設置枠１２０と略同一の上下幅寸法を有するスペーサ５００，５００が取り付けられており、これらスペーサ５００，５００及び腰板１１２Ｆ，１１２Ｂにより内部空間３００が遊技者側から完全に被覆される。
【００７４】
次に、本実施例２における腰板１１２Ｆ，１１２Ｂについて説明する。尚、腰板１１２Ｆ，１１２Ｂは一方が設置空間部ＳＦ側に設けられており、他方が設置空間部ＳＢ側に設けられていることを除き同一構成であるため、設置空間部ＳＦ側に設けられている腰板１１２Ｆについてのみ説明する。
【００７５】
図１３（Ａ）及び図１３（Ｂ）に示すように、腰板１１２Ｆ，１１２Ｂは、上部側に配置された第１腰板１１２ａと、該第１腰板１１２ａの下方位置に配置された第２腰板１１２ｂと、から構成されている。このうち第１腰板１１２ａの上端部における左右両端部には、遊技島１の内方に向けて枢支片１１２ｃ，１１２ｃが形成されており、第１腰板１１２ａは、左右方向に延びる枢軸１１３，１１３を中心として第１縦フレーム７４，７４の上部に回動可能に枢支されている。
【００７６】
また、第１腰板１１２ａの下端部と第２腰板１１２ｂの上端部とは、左右方向を向く回動軸を有する蝶番１１４を介して接続されており、第２腰板１１２ｂは、該蝶番１１４を介して第１腰板１１２ａに対して前後方向に揺動可能となっており、腰板１１２Ｆ，１１２Ｂは、第１腰板１１２ａと第２腰板１１２ｂとが第１縦フレーム７４，７４の外側において上下方向に並設される第１位置と、第１腰板１１２ａと第２腰板１１２ｂとが側面視略Ｌ字形に屈曲されて遊技者側から見て設置板１３ａよりも奥側に配置される奥側位置と、の間で移動（回動）可能に構成されている。そして、第１位置において、第２腰板１１２ｂの下端部と床面ＹとをボルトＢ３により固着することで、内部空間３００を遊技者側から被覆する状態を維持するようになっている。尚、第２腰板１１２ｂの左右両端部には、前後方向に向けて貫通する貫通孔１１２ｄ，１１２ｄが形成されている。
【００７７】
このように構成された遊技島１において、遊技島１の設置空間部ＳＦ，ＳＢに通常のパチンコ遊技機２に替えて封入式パチンコ遊技機２を設置する場合は、図１４に示すように、先ず、設置空間部ＳＦ，ＳＢからパチンコ遊技機２を取り外す。そして、内部空間３００内から回収通路１０５を撤去するとともに、該回収通路１０５に替えて仕切体１１５を内部空間３００内に設置する。
【００７８】
仕切体１１５は、閉塞板１１５ａと、該閉塞板１１５ａの下面に取り付けられる仕切板１１５ｂとから構成されている。このうち閉塞板１１５ａは、設置空間部ＳＦ側の第２縦フレーム７６と設置空間部ＳＢ側の第２縦フレーム間と略同一の前後幅寸法を有している。そして、閉塞板１１５ａは、下面が横フレーム７５の下面と面一となる状態で、ボルトＢ２を第４螺着孔７６ｂに螺挿することによって、設置空間部ＳＦ側の第２縦フレーム７６と設置空間部ＳＢ側の第２縦フレーム７６との間に取り付けられる。この閉塞板１１５ａの置空間部ＳＦ側の第２縦フレーム７６と設置空間部ＳＢ側の第２縦フレーム７６との間での取り付けにより、横フレーム７５の下面よりも上方の内部空間３００は閉塞板１１５ａによって閉塞される。
【００７９】
一方、仕切板１１５ｂは、閉塞板１１５ａの下面前後方向の略中央位置から垂下する板体であり、閉塞板１１５ａが設置空間部ＳＦ側の第２縦フレーム７６と設置空間部ＳＢ側の第２縦フレーム７６との間に取り付けられることで、下端部が床面Ｙと近接配置される。このため、横フレーム７５の下面よりも下方の内部空間３００は、仕切板１１５ｂによって前後に仕切られる。また、仕切板１１５ｂの前後面には、第２腰板１１２ｂに形成された貫通孔１１２ｄ，１１２ｄに対応するように螺着孔１１５ｃ，１１５ｃがそれぞれ形成されている。
【００８０】
実施例２における遊技島１において遊技者の爪先を挿入配置可能な遊技者側空間４００を形成するには、先ず、図１４に示すように、腰板１１２ＦのボルトＢ３を取り外すことで、腰板１１２Ｆを枢軸１１３，１１３を中心として回動可能な状態とし、第１腰板１１２ａを枢軸１１３，１１３を中心として回動させる。このとき、第２腰板１１２ｂは、蝶番１１４を介して回動することで、床面Ｙに対して略垂直を維持する。
【００８１】
そして、第１腰板１１２ａを閉塞板１１５ａに対して水平となるまで回動した後は、ボルトＢ３を第２腰板１１２ｂに形成された貫通孔１１２ｄ，１１２ｄを介して螺着孔１１５ｃ，１１５ｃに螺着することで、腰板１１２Ｆを仕切板１１５ｂに対して固定することで、第１腰板１１２ａの下方に遊技者が爪先を挿入配置可能な遊技者側空間４００が形成される。
【００８２】
尚、本実施例２では、第１腰板１１２ａに対し第２腰板１１２ｂが揺動可能に取り付けられていたが、本発明はこれに限定されるものではなく、上部側腰板としての腰板１１２ａに対し、該腰板１１２ａの下部に下部側腰板としての腰板１１２ｂが取り外し可能に取り付けられていてもよく、このようにすることで、下部側腰板としての腰板１１２ｂを取り外すのみで、設置板１３ａの下方に遊技者側空間４００を容易に形成することができる。
【００８３】
以上説明したように、本発明の実施例２としての遊技島１にあっては、所定の間隔を隔てて立設される複数の支持体６６Ｌ，６６Ｒと、該複数の支持体６６Ｌ，６６Ｒ間における該支持体６６Ｌ，６６Ｒの下端より上方の上方位置に架設される長板状の設置板１３ａと、設置板１３ａの下方に該設置板１３ａの長手方向に沿って配設される腰板１１２Ｆ，１１２Ｂと、を備え、該設置板１３ａの長手方向に沿って遊技機（例えば、封入式パチンコ遊技機２、通常のパチンコ遊技機２Ａ、スロットマシン３など）が設置され、設置板１３ａは、遊技機にて遊技を行う遊技者側から見て腰板１１２Ｆ，１１２Ｂの奥側に配設される回収通路１０５が不要な第１遊技機としての封入式パチンコ遊技機２やスロットマシン３と、回収通路１０５が必要な第２遊技機としての通常のパチンコ遊技機２Ａと、を含む複数種類の遊技機を設置可能であり、第１遊技機に対応可能な態様（設置板１３ａに封入式パチンコ遊技機２（スロットマシン３）が設置されるときの態様）であって腰板１１２Ｆ，１１２Ｂにより設置板１３ａの下方における左右の第１縦フレーム７４，７４間の少なくとも下部に遊技者側空間４００が形成される第１態様（例えば、図１４参照）と、第２遊技機に対応可能な態様（設置板１３ａに通常のパチンコ遊技機２Ａが設置されるときの態様）であって設置板１３ａの下方における左右の第１縦フレーム７４，７４間に遊技者側空間４００が形成されない第２態様（例えば、図１３（Ａ）参照）と、のいずれかに変更可能である。
【００８４】
つまり、本実施例２では、腰板１１２Ｆ，１１２Ｂが第１腰板１１２ａと第２腰板１１２ｂとからなり、これら第１腰板１１２ａと第２腰板１１２ｂとが第１縦フレーム７４，７４の外側において上下方向に並設される第１位置と、第１腰板１１２ａと第２腰板１１２ｂとが側面視略Ｌ字形に屈曲されて遊技者側から見て設置板１３ａよりも奥側に配置される奥側位置と、の間で移動（回動）可能に構成されている。すなわち、腰板１１２Ｆ，１１２Ｂが変形可能に構成されていることで、腰板１１２Ｆ，１１２Ｂを変形させて第１位置または奥側位置に配置することで、遊技島１を第１態様または第２態様のいずれかに変更することができる。
【００８５】
よって、遊技島１を第１態様とすることで、遊技者の脚が左右の第１縦フレーム７４，７４に形成された遊技者側空間４００を介して設置板１３ａより奥側に挿入可能となり、遊技島１を第２態様とすることで遊技者の脚が設置板１３ａより奥側に入り込むことが防止されるため、遊技機に関連する関連設備である回収通路１０５が必要な遊技機が設置されたときと関連設備が不要な遊技機が設置されたときとで、設置板１３ａの下方の態様を設置された遊技機に適した態様に変更することができる。
【００８６】
また、本実施例２では、遊技機は、一方向（例えば、前方）に向けて設置される前側遊技機と、該前側遊技機の背面側に反対方向（例えば、後方）に向けて設置される後側遊技機と、を含み、第１態様において、遊技者から見て設置板１３ａの奥側の空間部を前側遊技機側と後側遊技機側とに仕切る仕切板１１５ｂを備え、仕切板１１５ｂは着脱可能に設けられていることで、遊技島１の前面側で遊技を行っている遊技者と後面側で遊技を行っている遊技者との爪先が設置板１３ａの下方に形成された遊技者側空間４００内において接触して遊技者に不快感を与えることを防止することができる。
【００８７】
次に、本発明の変形例１としての腰板２１２Ｆ，２１２Ｂについて、図１５に基づいて説明する。図１５は、（Ａ）は遊技島が第２態様であるときの変形例１としての腰板を示す図、（Ｂ）は遊技島が第１態様であるときの腰板を示す図である。尚、以下に示す変形例については、前記実施例１，２と同一構成で重複する構成については、同様の符号を付すことにより詳細な説明を省略する。
【００８８】
前記第２実施例の腰板１１２Ｆ，１１２Ｂは、第１腰板１１２ａと第２腰板１１２ｂとにより屈曲可能に構成されていたが、本変形例１としての腰板２１２Ｆ，２１２Ｂのように、１枚板からなる変形不能な腰板１１２Ｆ，１１２Ｂを枢軸１１３，１１３を中心として第１縦フレーム７４，７４の上部に回動可能に枢支してもよい。
【００８９】
第２遊技機である通常のパチンコ遊技機２Ａが設置されるときの態様であって腰板２１２Ｆ，２１２Ｂにより設置板１３ａの下方における第１縦フレーム７４，７４間に空間が形成されない第２態様とする場合、図１５（Ａ）に示すように、腰板２１２Ｆ，２１２Ｂを第１縦フレーム７４，７４の外側の第１位置において起立姿勢で配置される。
【００９０】
また、第１遊技機であるスロットマシン３が設置されるときの態様であって腰板２１２Ｆ，２１２Ｂにより設置板１３ａの下方における第１縦フレーム７４，７４間に空間が形成される第１態様とする場合、図１５（Ｂ）に示すように、腰板２１２Ｆ，２１２Ｂの下端を遊技島１の内部に押し込んで、遊技者側から見て腰板２１２Ｆ，２１２Ｂの下部を奥側に押し込んだ奥側位置において、下方に向けて内側に傾斜する傾斜姿勢で配置される。
【００９１】
尚、第１縦フレーム７４，７４には、腰板２１２Ｆ，２１２Ｂを傾斜姿勢に保持するためのストッパ５１０が、第１縦フレーム７４，７４に沿う収納位置と第１縦フレーム７４，７４から内側に突出する保持位置との間で揺動可能に設けられており、保持位置において腰板２１２Ｆ，２１２Ｂの外面に当接して落下を規制する。
【００９２】
このように、腰板２１２Ｆ，２１２Ｂを第１縦フレーム７４，７４に沿う第１位置と該第１位置よりも奥側の奥側位置との間で移動（揺動）可能に設け、第１位置と奥側位置との間で移動させる、つまり、腰板２１２Ｆ，２１２Ｂの下部を第１位置と奥側位置とのいずれかに取り付けることにより、遊技島１の態様を第１態様と第２態様とに変更可能としてもよい。
【００９３】
次に、本発明の変形例２としての腰板２１２Ｆ，２１２Ｂについて、図１６に基づいて説明する。図１６は、（Ａ）は遊技島が第２態様であるときの変形例２としての腰板を示す図、（Ｂ）は遊技島が第１態様であるときの腰板を示す図である。
【００９４】
前記変形例１では、腰板２１２Ｆ，２１２Ｂを奥側位置に保持する保持手段として、第１縦フレーム７４，７４に設けられたストッパ５１０が記載されていたが、本発明はこれに限定されるものではなく、腰板２１２Ｆ，２１２Ｂを奥側位置に保持する保持手段として、例えば、回収通路１０５に固定された取付片５２０と、腰板２１２Ｆ，２１２Ｂの下端に形成された取付孔（図示略）と、該取付孔（図示略）に取り付けられ取付片５２０のネジ孔（図示略）に螺入されるボルトＢ５と、を適用してもよい。
【００９５】
このようにすることで、予め遊技島１内に配設されている回収通路１０５等の関連設備を用いて腰板２１２Ｆ，２１２Ｂを奥側位置に容易に保持することができる。
【００９６】
次に、本発明の変形例３としての腰板３１２Ｆ，３１２Ｂについて、図１７に基づいて説明する。図１７は、（Ａ）は遊技島が第２態様であるときの変形例３としての腰板を示す図、（Ｂ）は遊技島が第１態様であるときの腰板を示す図である。
【００９７】
前記変形例１，２では、腰板２１２Ｆ，２１２Ｂは第１縦フレーム７４，７４の上部に枢軸１１３，１１３を介して揺動可能に設けられていたが、本発明はこれに限定されるものではなく、本変形例３としての腰板３１２Ｆ，３１２Ｂのように、第１縦フレーム７４，７４の外側に配置される第１位置と、第１縦フレーム７４，７４よりも内側に配置される奥側位置と、の間でスライド移動可能に設けられていてもよい。
【００９８】
具体的には、横フレーム７５，７５の下面にガイドレール５３０，５３０を前後方向に向けて延設し、該ガイドレール５３０，５３０に腰板３１２Ｆ，３１２Ｂの上端に設けられた枢軸１１３，１１３を前後方向に摺動可能に枢支する。
【００９９】
このようにすることで、第２遊技機である通常のパチンコ遊技機２Ａが設置されるときの態様であって腰板３１２Ｆ，３１２Ｂにより設置板１３ａの下方における第１縦フレーム７４，７４間に空間が形成されない第２態様とする場合、図１７（Ａ）に示すように、枢軸１１３，１１３をガイドレール５３０，５３０の遊技者側の端部に配置して、腰板３１２Ｆ，３１２Ｂを第１縦フレーム７４，７４の外側の第１位置において起立姿勢とする。
【０１００】
また、第１遊技機であるスロットマシン３が設置されるときの態様であって腰板３１２Ｆ，３１２Ｂにより設置板１３ａの下方における第１縦フレーム７４，７４間に空間が形成される第１態様とする場合、図１７（Ｂ）に示すように、腰板３１２Ｆ，３１２Ｂ全体を起立姿勢のまま遊技島１の内部に押し込んで、枢軸１１３，１１３をガイドレール５３０，５３０の奥側の端部に配置して、遊技島１の内部、つまり、遊技者側から見て奥側に押し込まれた奥側位置において起立姿勢で保持する。
【０１０１】
尚、図１７（Ｂ）に示すように、スロットマシン３が、遊技機に関連する関連設備として該スロットマシン３から排出されるメダルを回収可能なメダル回収通路１０５０が必要な第２遊技機である場合でも、メダル回収通路１０５０の前後幅寸法が回収通路１０５の前後幅寸法よりも短寸であれば、メダル回収通路１０５０を腰板３１２Ｆ，３１２Ｂの間に配設したままとしても、腰板３１２Ｆ，３１２Ｂを奥側位置に配置して、設置板１３ａの下方における第１縦フレーム７４，７４間に空間が形成される第１態様とすることもできる。
【０１０２】
このようにすることで、腰板３１２Ｆ，３１２Ｂを第１位置と奥側位置との間でスライドさせるだけで遊技島１を第１態様と第２態様とに容易に変更させることができるばかりか、腰板３１２Ｆ，３１２Ｂが奥側位置において仕切板としての機能を有するため、対向して遊技を行う遊技者の爪先同士が接触して不快感を与えることを防止できる。
【０１０３】
次に、本発明の変形例４としての腰板３１２Ｆ，３１２Ｂについて、図１８に基づいて説明する。図１８は、（Ａ）は遊技島が第１態様であるときの変形例４としての腰板を示す図、（Ｂ）は遊技島が第１態様であるときの腰板を示す図である。
【０１０４】
前記変形例３では、遊技島１が第２態様であるときにおいて、腰板３１２Ｆ，３１２Ｂの下端を奥側位置において床面ＹにボルトＢ３で固定して起立姿勢を保持していたが、本発明はこれに限定されるものではなく、遊技島１が第２態様であるときにおいて、腰板３１２Ｆ，３１２Ｂの下端に取り付けた取付金具５４０，５４０を連結金具５５０を介してボルトＢ３により連結することで、腰板３１２Ｆ，３１２Ｂを奥側位置にて下端同士を連結させて傾斜姿勢に保持するようにしてもよい。
【０１０５】
このようにすることで、前後の腰板３１２Ｆ，３１２Ｂをそれぞれ床面Ｙ等に別個に固定する必要がないので、奥側位置に容易に保持することができる。
【０１０６】
次に、本発明の変形例５としての閉塞板について、図１９に基づいて説明する。図１９は、（Ａ）は遊技島が第１態様であるときの態様の一例を示す図、（Ｂ）は他の態様を示す図である。
【０１０７】
前記実施例１，２及び変形例１〜４では、遊技島１が第１態様であるときも第２態様であるときも腰板は第１縦フレーム７４，７４に取り付けられたままとされているが、本発明はこれに限定されるものではなく、遊技島１が第２態様であるときに使用する第１腰板を、第１態様においては取り外し、図１９（Ａ）に示すように、遊技島１が第１態様であるときに使用する第２腰板５６０に交換可能としてもよい。
【０１０８】
第２腰板５６０は、設置空間部ＳＦ側の横フレーム７５と設置空間部ＳＢ側の横フレーム７５の下方位置にそれぞれ取り付けられ、設置空間部ＳＦ，ＳＢ間の空間を閉塞するように取り付けられている。これにより、前後の設置板１３ａ，１３ａの下方における第１縦フレーム７４，７４間に遊技者側空間４００が形成されることになる。
【０１０９】
また、このような第２腰板５６０に限定されるものではなく、第１態様に対応する第２腰板として、図１９（Ｂ）に示すように、前記実施例２の仕切体１１５のように仕切板１１５ｂを備えるものを第２腰板として適用してもよい。
【０１１０】
また、遊技島１は、設置空間部ＳＦに前面側に向けて設置される遊技機と、該第１遊技機の背面側の設置空間部ＳＢに後面側に向けて設置される遊技機と、を含み、第１態様において、遊技者から見て設置板１３ａの奥側の空間を前面側と後面側とに仕切る仕切体１１５を備え、仕切体１１５は第１縦フレーム７４，７４に対し着脱可能に取り付けられていることで、対向して遊技を行っている遊技者同士の足が設置板１３ａの下方に形成された遊技者側空間４００において接触することを防止することができる。
【０１１１】
次に、本発明の変形例６としての腰板について、図２０に基づいて説明する。図２０は、（Ａ）は遊技島の前面が第２態様、後面が第１態様であるときの態様を示す図、（Ｂ）は遊技島の前面が第２態様、後面が第１態様であるときの態様を示す図である。
【０１１２】
前記実施例１，２及び変形例１〜５では、遊技島１の前後の設置空間部ＳＦ，ＳＢ双方に遊技機に関連する関連設備が不要な第１遊技機または関連設備が必要な第２遊技機のいずれかが設置される例を説明したが、本発明はこれに限定されるものではなく、例えば、遊技島１の前後の設置空間部ＳＦ，ＳＢのうち一方に第１遊技機が設置され、他方に第２遊技機が設置されるようにしてもよい。
【０１１３】
図２０（Ａ）に示すように、遊技島１の前面側の設置空間部ＳＦに第１遊技機としてのスロットマシン３が設置され、後面側の設置空間部ＳＦに第２遊技機としての通常のパチンコ遊技機２Ａが設置されている。腰板４１４Ｆ，４１４Ｂは、上部側に配置された第１腰板４１２ａと、該第１腰板４１２ａの下方位置に配置された第２腰板４１２ｂと、から構成されている。第１腰板４１２ａは、第１縦フレーム７４，７４の上部に取り付けられている。
【０１１４】
また、第１腰板４１２ａの下端部と第２腰板４１２ｂの上端部とは、左右方向を向く回動軸を有する蝶番４１４を介して接続されており、第２腰板４１２ｂは、該蝶番４１４を介して第１腰板４１２ａに対して前後方向に揺動可能となっている。このように、腰板４１４Ｆ，４１４Ｂは、第１腰板４１２ａ及び第２腰板４１２ｂ双方を揺動可能とされるものに限定されるものではなく、第１腰板４１２ａの下方に支持された第２腰板４１２ｂのみ、つまり、腰板の一部（下部）のみを揺動（移動）可能としてもよい。
【０１１５】
この場合、回収通路１０５は第２遊技機としての通常のパチンコ遊技機２Ａにのみ必要な設備であるため、通常のパチンコ遊技機２Ａ側に寄せて配設される。これにより、スロットマシン３側にスペースが確保されるため、スロットマシン３側の第２腰板４１２ｂのみを内側に押し込んで回収通路１０５の壁部１０５ａに取り付けることで、スロットマシン３が設置されていた設置板１３ａの下方にのみ遊技者側空間４００を形成することができる。
【０１１６】
また、腰板４１２Ｆ，４１２Ｂは、上部側腰板としての腰板４１２ａと該上部側腰板の下部に取り外し可能に取り付けられた下部側腰板としての腰板４１２ｂと、から構成されていてもよい。すなわち、例えば、図２０（Ａ）中２点鎖線で示すように、腰板４１２ｂを腰板４１２ａに対し取り外し可能に構成し、遊技者側空間４００が形成される第１態様とする場合に、腰板４１２ａから腰板４１２ｂを取り外し可能としてもよい。このようにすることで、腰板４１２ａから腰板４１２ｂを取り外すのみで、設置板１３ａの下方に遊技者側空間４００を容易に形成することができる。
【０１１７】
また、図２０（Ｂ）に示すように、遊技島１の前面側の設置空間部ＳＦに第１遊技機としての封入式パチンコ遊技機２が設置され、後面側の設置空間部ＳＦに第２遊技機としての通常のパチンコ遊技機２Ａが設置されている。この場合においても、回収通路１０５は第１遊技機としての通常のパチンコ遊技機２Ａにのみ必要な設備であるため、通常のパチンコ遊技機２Ａ側に寄せて配設される。これにより、封入式パチンコ遊技機２側にスペースが確保されるため、封入式パチンコ遊技機２側の第２腰板４１２ｂのみを内側に押し込んで回収通路１０５の壁部１０５ａに取り付けることで、封入式パチンコ遊技機２が設置されていた設置板１３ａの下方にのみ遊技者側空間４００を形成することができる。つまり、遊技島１の前面側は第１態様とし、後面側は第２態様とすることもできる。
【０１１８】
さらに、遊技島１の前面側の設置空間部ＳＦまたは前面側の設置空間部ＳＢの一部に第１遊技機を設置し、他部に第２遊技機を設置するようにしてもよい。このような場合でも、例えば、前面側の設置空間部ＳＦの一部に第１遊技機を設置し、他部に第２遊技機を配設するようにしてもよい。
【０１１９】
次に、本発明の変形例７について、図２１に基づいて説明する。図２１は、遊技島が第２態様であるときの態様を示す図である。
【０１２０】
図２１に示す遊技島１は、吸殻を回収する吸殻回収装置６００を備え、吸殻回収装置６００は、遊技機に対応して設けられたユーティリティーユニット７の前面に設けられ吸殻を受け入れる吸殻受入部６０３と、吸殻受入部６０３から受け入れた吸殻を誘導する誘導通路６０２と、誘導通路６０２にて誘導された吸殻を遊技島１の長手方向の端部に設けた回収部（図示略）まで搬送する吸殻搬送手段としての搬送スクリュー６０１が内蔵された搬送管６０４を有し、搬送スクリュー６０１は、躯体５の連結ビーム７１，７２に支持されている。
【０１２１】
このようにすることで、吸殻回収装置６００の搬送スクリュー６０１が内蔵された搬送管６０４が設置板１３ａではなく躯体５における支持体６６Ｌ，６６Ｒの連結ビーム７１に支持されることで、遊技島１が遊技機２の種類に応じて設置板１３ａが設けられない態様に変更された場合でも、吸殻回収装置６００の搬送スクリュー６０１を支持することができるため、遊技島１の設計の自由度が向上する。
【０１２２】
また、前記実施例では、支持体６６Ｌは、前支持体７０Ｆと、後支持体７０Ｂと、これら前支持体７０Ｆと後支持体７０Ｂとを連結する上下の連結ビーム７１，７２と、から構成され、前支持体７０Ｆ、後支持体７０Ｂは、下端から上方に向けてクランク状に形成されているが、本発明はこれに限定されるものではなく、支持体の形状は上記形態に限定されるものではなく、下端より上方の上方位置に設置板１３ａを架設可能な形状であれば柱状でもよく、種々に変更可能である。
【０１２３】
また、前記実施例では、腰板１２Ｆ，１２Ｂは支持体６６Ｌ，６６Ｒの第１縦フレーム７４，７４に直接取り付けられていたが、本発明はこれに限定されるものではなく、例えば、左右の第１縦フレーム７４，７４と設置板１３ａと床面Ｙとに沿って形成される四角枠状の木材等を躯体５に固定して設け、該木材に腰板１２Ｆ，１２Ｂを取付できるようにしてもよい。
【０１２４】
また、前記実施例では、遊技島１は、前後両面に長手方向にわたり遊技機を設置可能な複数の設置部が並設されていたが、本発明はこれに限定されるものではなく、前面側または後面側のいずれかにのみ設置部が設けられ、遊技場の壁等に沿うように設けられた片面式の遊技島であってもよい。
【０１２５】
また、前記実施例では、設置板１３ａの下方における第１縦フレーム７４，７４間に形成される遊技者側空間４００は、床面Ｙから設置板１３ａまでの上下幅のうち、床面Ｙから設置板１３ａよりも下方位置に形成されていたが、本発明はこれに限定されるものではなく、床面Ｙから設置板１３ａまで開口する遊技者側空間４００であってもよい。また、床面Ｙから上方に向けて形成される空間に限定されず、例えば、床面Ｙから所定距離離れた高さ位置に遊技者側空間４００が形成されるようにしてもよい。
【０１２６】
以上、本発明の実施例を図面により説明してきたが、具体的な構成はこれら実施例に限られるものではなく、本発明の要旨を逸脱しない範囲における変更や追加があっても本発明に含まれる。
【０１２７】
例えば、前記実施例では、遊技機の一例として、封入式パチンコ遊技機２、通常のパチンコ遊技機２Ａ、スロットマシン３などを記載したが、本発明はこれに限定されるものではなく、例えば、スロットマシンとして、遊技用価値としてメダル並びにクレジットを用いて賭数が設定されるスロットマシンに適用した例について説明したが、遊技用価値として遊技球を用いて賭数を設定するスロットマシンや、遊技用価値としてクレジットのみを使用して賭数を設定する完全クレジット式のスロットマシンに適用しても良い。遊技球を遊技用価値として用いる場合は、例えば、メダル１枚分を遊技球５個分に対応させることができ、前記実施例１で賭数として３を設定する場合は、１５個の遊技球を用いて賭数を設定するものに相当する。
【０１２８】
さらに、メダル及び遊技球等の複数種類の遊技用価値のうちいずれか１種類のみを用いるものに限定されるものではなく、例えば、メダル及び遊技球等の複数種類の遊技用価値を併用できるものであっても良い。すなわち、メダル及び遊技球等の複数種類の遊技用価値のいずれを用いても賭数を設定してゲームを行うことが可能であり、かつ入賞の発生によってメダル及び遊技球等の複数種類の遊技用価値のいずれをも払い出し得るスロットマシンを適用しても良い。
【符号の説明】
【０１２９】
１    遊技島
２Ａ    通常のパチンコ遊技機
２    封入式パチンコ遊技機
３    スロットマシン
１２Ｆ，１２Ｂ    腰板
１２ａ，１２ａ    突部
１２ｂ，１２ｃ    貫通孔
１３ａ    設置板
６６Ｌ，６６Ｒ    支持体
７４，７４    第１縦フレーム
７４ａ，７４ｂ    第１螺着孔
７５ａ，７５ｂ    第２螺着孔
７６ａ    第３螺着孔
７６ｂ    第４螺着孔
１０５    回収通路
１０５ｂ，１０５ｃ    貫通孔
４００    空間部
１１２Ｆ，１１２Ｂ    腰板
２１２Ｆ，２１２Ｂ    腰板
３１２Ｆ，３１２Ｂ    腰板
４１４Ｆ，４１４Ｂ    腰板
【図１】
2015047464.tif 000003
【図２】
2015047464.tif 000004
【図３】
2015047464.tif 000005
【図４】
2015047464.tif 000006
【図５】
2015047464.tif 000007
【図６】
2015047464.tif 000008
【図７】
2015047464.tif 000009
【図８】
2015047464.tif 000010
【図９】
2015047464.tif 000011
【図１０】
2015047464.tif 000012
【図１１】
2015047464.tif 000013
【図１２】
2015047464.tif 000014
【図１３】
2015047464.tif 000015
【図１４】
2015047464.tif 000016
【図１５】
2015047464.tif 000017
【図１６】
2015047464.tif 000018
【図１７】
2015047464.tif 000019
【図１８】
2015047464.tif 000020
【図１９】
2015047464.tif 000021
【図２０】
2015047464.tif 000022
【図２１】
2015047464.tif 000023